(57)【要約】【課題】  安価な簡潔構造で設計の自由度があり、組合せ形状が判明し難く長時間の試行錯誤を要することで娯楽性の高い三次元パズルブロックを提供する。【解決手段】  本発明の三次元パズルブロック１は、長さ方向に延びるＺ軸方向に略同一長さＬを有し、Ｚ軸に直交するＸ−Ｙ平面に略平行な両端面が四角形に形成された複数本の小ブロックＣ１〜Ｃ４、Ｓ１〜Ｓ１６、Ｍ１１〜Ｍ１６から一つの組立四角柱体に組立てられる三次元パズルブロックであって、組立て状態における小ブロックの隣接する各側面は、一部面又は全面が異なる任意のランダム形状曲面を有する波型面Ｗｘｎ、Ｗｙｎが相互に着脱自在に密着嵌合するように形成される。【選択図】          図１
2015000091.tif 000002
【特許請求の範囲】
【請求項１】
長さ方向に延びるＺ軸方向に略同一長さＬを有し、Ｚ軸に直交するＸ−Ｙ平面に略平行な両端面が四角形に形成された複数本の小ブロックから一つの組立四角柱体に組立てられる三次元パズルブロックであって、
前記組立て状態における小ブロックの隣接する各側面は、一部面又は全面が異なる任意のランダム形状曲面を有する波型面が相互に着脱自在に密着嵌合するように形成されることを特徴とする三次元パズルブロック。
【請求項２】
長さ方向に延びるＺ軸方向に略同一長さＬを有し、Ｚ軸に直交するＸ−Ｙ平面に略平行な両端面が四角形に形成された複数本の小ブロックから前記Ｚ軸方向長さＬを有する一つの組立四角柱体に組立てられる三次元パズルブロックであって、
前記組立て状態における小ブロックの隣接する各側面は、一部面又は全面が異なる任意のランダム形状曲面を有する波型面が相互に着脱自在に密着嵌合するように形成され、
前記複数本の小ブロックは、前記Ｚ軸方向長さＬがそれぞれ任意の異なる長さに複数分割して形成されることを特徴とする三次元パズルブロック。
【請求項３】
前記小ブロックの組立四角柱体は、その外周４側面が拘束される拘束部材により組立状態が保持されることを特徴とする請求項１又は請求項２記載の三次元パズルブロック。
【請求項４】
前記拘束部材は、線状部材又は帯状部材からなるリング状体又は結束体、片面又は両面開放の四角ボックス状体、二分割型全閉四角ボックス体のいずれかであることを特徴とする請求項３記載の三次元パズルブロック。
【請求項５】
前記小ブロックは、天然又は合成の木材、金属、硬質高分子材料、骨材、鉱物又は岩石のいずれかからなることを特徴とする請求項１乃至請求項４のいずれか１項記載の三次元パズルブロック。
【請求項６】
前記三次元パズルブロックは、Ｚ軸方向に延びる四角柱体部材の外形を保持するように外面を拘束した状態で、細い鋸歯あるいはレーザー加工機を用い、
前記四角柱体部材の一方端面から、Ｘ軸方向に直交するＹ軸方向に沿って略等間隔に区分するように切込み、Ｙ−Ｚ面に沿ってそれぞれ異なる任意のランダム形状曲面を有する波型面を形成するように切断加工するＹ−Ｚ面方向波型面加工工程と、
前記一方端面から、Ｙ軸方向に直交するＸ軸方向に沿って略等間隔に区分するように切込み、Ｘ−Ｚ面に沿ってそれぞれ異なる任意のランダム形状曲面を有する波型面を形成するように切断加工するＸ−Ｚ面方向波型面加工工程と、
前記Ｙ−Ｚ面方向及びＸ−Ｚ面方向波型面加工工程の後で、Ｚ軸方向の任意の長さＬに順次切断するＸ−Ｙ面切断加工工程と、を有する製造方法により形成されることを特徴とする請求項１乃至請求項５のいずれか１項記載の三次元パズルブロック。
【発明の詳細な説明】
【技術分野】
【０００１】
本発明は、三次元パズルブロックに関し、特に簡潔な構造で設計の自由度があり、組合せ形状が判明し難く長時間の試行錯誤を要することで娯楽性の高い三次元パズルブロックに関する。
【背景技術】
【０００２】
従来、各種の立体ブロック玩具が提案され、あるいは市販されている。
【０００３】
代表的な第１の例として、図４に示すように、ｎを整数とし、ｎ３個の単位立方体ａからなり、単位立方体ａが一辺にｎ個並ぶ総立方体Ａを、ｎ個の単位立方体ａが連結された１個の小ブロック１１と、ｎ＋１個の単位立方体ａが１方向への連結個数がｎ個以下となるように連結されるｎ２−ｎ個の大ブロック１２〜２３とに分割される立方体ブロック玩具が提案されている。（特許文献１参照）
【０００４】
一実施例の図４では、総立方体Ａは４個の単位立方体ａがＬ字形に連結された１個の小ブロック１１と、５個の単位立方体ａが１方向への連結個数が５個以下となるように連結された１６−４＝１２個の大ブロック１２〜２３とに分割される。小ブロック１１は、連結される単位立方体ａの数が４個であればその形状は特に限定されない。各大ブロック１２〜２３の形状も単位立方体ａの数が５個であれば特に限定されない。
【０００５】
第２の例として、図５に示すように、同一形状及び同一寸法を有する複数個の直方体ブロックの各ブロックの表面に、直方体ブロックが立方体である場合は、各表面の正方形の中心のまわりに９０°毎に回転対称で、かつ中心を通り辺に平行な中心線に対して相補的に軸対称であるような図形により凹凸を形成し、６面の正方形表面の図形はすべて合同とするようにして形成される図形に基づいて凹凸を形成する嵌め合せ可能な直方体ブロックが提案されている。（特許文献２参照）
【０００６】
直方体ブロックの対向する１対の表面が正方形であり、対向する他の２対の表面が長方形である場合は、１対の正方形の各表面については、正方形の中心のまわりに９０°毎に回転対称で、かつ中心を通り平行な中心線に対して相補的に軸対称であるような図形により凹凸を形成する。２対の長方形の各表面については、長方形の中心のまわりに１８０°毎に回転対称で、かつ中心を通り辺に平行な中心線に対して相補的に軸対称であるような図形により凹凸を形成する。１対の正方形の各表面の図形は互いに合同であり、２対の長方形の各表面の図形はすべて合同とする。
【０００７】
直方体ブロックの対向する３対の表面がいずれも長方形である場合は、各表面の長方形の中心のまわりに１８０°毎に回転対称で、かつ中心を通り辺に平行な中心線に対して相補的に軸対称であるような図形により凹凸を形成する。３対の長方形の各表面の図形はそれぞれ対毎に合同であればよい。
【０００８】
第３の例として、図６（ａ）、（ｂ）に示すように、異なる図案の部分図が描かれた複数（２６個）の小さな立方体ユニット（小ブロック）３１で大きな立方体を構成し、大きな立方体の六面には異なる６つの図案又は図形が繋ぎ合せ形成される立体パズルであって、大きな立方体の外部の各辺には、フレーム５０が位置決めとして設けられ、小さな立方体ユニット３１の面と面の接続エッジには、弧状（角丸）のガイドエッジ４１が形成されるとともに、その中空内部の六つの内面に金属薄片４２がセットされ、大きな立方体の中心部に位置されソリッド磁性体からなる図案の無いセンター立方体ユニット３２は磁力作用で周囲の立方体ユニット３１を吸着する一方、その体積が他の立方体ユニット３１の体積より若干大きく形成されるとともに、その辺隅が隣接する立方体ユニット３１に係止可能で落ち難くされ、確実に中心の位置決めが行われる一方、表層の立方体ユニット３１は、センター立方体ユニット３２を中心として近接されるとともに、他の立方体ユニット３１は、センター立方体ユニット３２の表面に接触すると、磁力の吸引作用で落下しないように保持される立体パズルが提案されている。（特許文献３参照）。
【０００９】
センター立方体ユニット３２が表層の立方体ユニット３１の中間位置に配置されるので、センター立方体ユニット３２は表層の立方体ユニットが一定のグリッドに沿って、平行に移動することができるとともに、確実に中心に位置決められる。
【００１０】
第４の例として、図７に示すように、複数個の多面体形状のブロックと、内部空間が立方体をなす箱６０であって、内部空間の互いに直交する３面とこれらと対向する３面とがそれぞれ別体になるように分割された箱６０Ａ、６０Ｂとを備え、ブロックａ、ｂ、ｃを組み立てることによって、箱６０の内部空間と同一の立方体を構成し得るパズル、及び全て直方体形状のブロックであって、互いに直交する３辺のうち、３辺の長さが全て同じブロック各１個と、２辺の長さが同じブロック各３個と、３辺とも異なるブロック各６個とからなるブロック群が提案されている。（特許文献４参照）
【００１１】
第５の例として、図８に示すように、立方体ブロックの面、稜等に接合機能として設けられた凹凸６３、溝（図示しない）、又は接合材６５等を介して、接合ブロックの位置設定を行い、ブロックの面と面とが接した状態での接合を通じて、任意の形を組み立てる。基準となる立方体ブロックの接合個数を調整して、創造性を生かした種々の形を作る接合ブロックが提案されている。（特許文献５参照）
【００１２】
第６の例として、図９に示すように、各面に溝のある立方体ブロック７１、直方体ブロック７２、７３、円柱ブロック７４、７５、三角柱ブロック７６からなる各ブロック単体と、伸縮自在のジョイント用ゴムリング７８とからなり、前記ブロック単体同士の各面に設けられた溝７９、８１〜８６を直線上に一致させ、前記ブロック単体同士の溝にゴムリング７８を納めて前記ブロック単体同士を引締めることにより、ブロック単体同士を連結させ、組立構造物を形成する組立型ブロック玩具が提案されている。（特許文献６参照）
【先行技術文献】
【特許文献】
【００１３】
【特許文献１】実開平５−９５６００号公報
【特許文献２】特許３１０５７３４号公報
【特許文献３】実登３０８２３５１号公報
【特許文献４】特開２００１−２７６４１３号公報
【特許文献５】特開２００１−１６４６７６号公報
【特許文献６】実登３０８８３８０号公報
【発明の概要】
【発明が解決しようとする課題】
【００１４】
しかしながら、特許文献１に記載の立方体ブロック玩具は、小ブロック１１、大ブロック１２〜２３の形状がいずれも直角平面型凹凸組合せ面を有する複雑な立体形状であり、加工費が嵩むとともに設計の自由度に欠ける。また、直角平面型凹凸組合せ面は比較的容易に見分け易い形状であることから、小ブロック１１、大ブロック１２〜２３が組み込まれる位置が判明し易い凹凸を嵌め合せるだけの単純な組立で総立方体Ａが出来上がるので長時間の試行錯誤を要しないため依然として娯楽性に乏しい等々の問題点がある。
【００１５】
特許文献２に記載の嵌め合せ可能な直方体ブロックは、直方体小ブロックの各表面に所定の深さ（凸部の高さに相当する）だけへこませた三角平面形状の凹部を穿設することにより主軸対称である表面すべて合同として同じ形状の凹凸を形成する嵌め合せ可能な構成としていることから、特に三角平面形状の凹部の加工が煩雑で加工費が嵩む反面、小ブロックが組み込まれる位置が判明し易い凹凸を嵌め合せるだけの単純な組立で直方体ブロックが出来上がるので長時間の試行錯誤を要しないため娯楽性が乏しく設計の自由度も欠けるという問題点がある。
【００１６】
特許文献３に記載の立体パズルは、中空の六つの内面に金属薄片４２がセットされ、異なる図案の部分図が表面に描かれた２６個の立方体ユニット（小ブロック）３１の構造が複雑であるとともに、センター立方体ユニット３２が高価なソリッド磁性体からなることから、製造費が嵩むととともに設計の自由度に欠けるという問題点がある。
【００１７】
特許文献４に記載のパズル及びブロック群は、全て単純な直方体形状で長さが異なるａ、ｂ＝２ａ及びｃ＝３ａの３種類の色分けされたブロック群から、３辺の長さが全て等しい立方体ブロック｛ａ、ａ、ａ｝、｛ｂ、ｂ、ｂ｝及び｛ｃ、ｃ、ｃ｝の３種類が各１個、３辺のうち２辺の長さが等しい正四角柱ブロック｛ａ、ａ、ｂ｝、｛ａ、ａ、ｃ｝、｛ｂ、ｂ、ａ｝、｛ｂ、ｂ、ｃ｝、｛ｃ、ｃ、ａ｝及び｛ｃ、ｃ、ｂ｝の６種類が各３個、及び３辺の長さがいずれも異なる直方体ブロック｛ａ、ｂ、ｃ｝の１種類が各６個あり、これら２７個のブロックを組み立てることによって、辺の長さがａ＋ｂ＋ｃである立方体を構成することができることから、立方体を構成することをａ、ｂ、ｃ要素の恒等式で表現して数学的に学ぶことができるものの、一見していずれかの組合せの立方体を容易に組成できるので長時間の試行錯誤を要しないため娯楽性が乏しく設計の自由度も欠けるという問題点がある。
【００１８】
特許文献５に記載の接合ブロックは、面、稜等に接合機能としての凹凸６３、溝（図示しない）、又は接合材６５等を設ける立方体小ブロック６１の加工が煩雑で加工費が嵩む反面、立方体小ブロックが組み込まれる位置が判明し易い凹凸などの接合部を接合させるだけの単純な組み立てにより種々の構築物が出来上がるので長時間の試行錯誤を要しないため娯楽性が乏しく設計の自由度も欠けるという問題点がある。
【００１９】
特許文献６に記載の組立型ブロック玩具は、各面に溝のある立方体ブロック７１、直方体ブロック７２、７３、円柱ブロック７４、７５、三角柱ブロック７６からなる各ブロック単体の形状が複雑で加工費が嵩む反面、ブロック単体が組み込まれる位置が判明し易い溝７９、８１〜８６を直線上に一致させそれらの溝にゴムリング７８を納めて引締めるだけの単純な組み立てにより種々の組立構造物を形成することから、長時間の試行錯誤を要しないため娯楽性が乏しく設計の自由度も欠けるという問題点がある。
【００２０】
このように、従来の各種の立体ブロック玩具においては、小ブロックの構造が複雑で加工費が嵩むかあるいは比較的単純な構造であるが、いずれも組み立てに長時間の試行錯誤を要しないため娯楽性に欠けるとともに設計の自由度に欠ける等の問題点があった。
【００２１】
本発明は、上記従来技術の問題点に鑑みてなされたものであり、本発明の目的は、安価な簡潔構造で設計の自由度があり、組合せ形状が判明し難く長時間の試行錯誤を要することで娯楽性の高い三次元パズルブロックを提供することにある。
【課題を解決するための手段】
【００２２】
上記目的を達成するため、本発明の三次元パズルブロックは、長さ方向に延びるＺ軸方向に略同一長さＬを有し、Ｚ軸に直交するＸ−Ｙ平面に略平行な両端面が四角形に形成された複数本の小ブロックから一つの組立四角柱体に組立てられる三次元パズルブロックであって、前記組立て状態における小ブロックの隣接する各側面は、一部面又は全面が異なる任意のランダム形状曲面を有する波型面が相互に着脱自在に密着嵌合するように形成されることを特徴とする。
【００２３】
また、長さ方向に延びるＺ軸方向に略同一長さＬを有し、Ｚ軸に直交するＸ−Ｙ平面に略平行な両端面が四角形に形成された複数本の小ブロックから前記Ｚ軸方向長さＬを有する一つの組立四角柱体に組立てられる三次元パズルブロックであって、前記組立て状態における小ブロックの隣接する各側面は、一部面又は全面が異なる任意のランダム形状曲面を有する波型面が相互に着脱自在に密着嵌合するように形成され、前記複数本の小ブロックは、前記Ｚ軸方向長さＬがそれぞれ任意の異なる長さに複数分割して形成されることを特徴とする
【００２４】
また、前記小ブロックの組立四角柱体は、その外周４側面が拘束される拘束部材により組立状態が保持されることを特徴とする。
【００２５】
また、前記拘束部材は、線状部材又は帯状部材からなるリング状体又は結束体、片面又は両面開放の四角ボックス状体、二分割型全閉四角ボックス体のいずれかであることを特徴とする。
【００２６】
また、前記小ブロックは、天然又は合成の木材、金属、硬質高分子部材、骨材、鉱物又は岩石のいずれかからなることを特徴とする。
【００２７】
さらに、前記三次元パズルブロックは、Ｚ軸方向に延びる四角柱体部材の外形を保持するように外面を拘束した状態で、細い鋸歯あるいはレーザー加工機を用い、前記四角柱体部材の一方端面から、Ｘ軸方向に直交するＹ軸方向に沿って略等間隔に区分するように切込み、Ｙ−Ｚ面に沿ってそれぞれ異なる任意のランダム形状曲面を有する波型面を形成するように切断加工するＹ−Ｚ面方向波型面加工工程と、前記一方端面から、Ｙ軸方向に直交するＸ軸方向に沿って略等間隔に区分するように切込み、Ｘ−Ｚ面に沿ってそれぞれ異なる任意のランダム形状曲面を有する波型面を形成するように切断加工するＸ−Ｚ面方向波型面加工工程と、前記Ｙ−Ｚ面方向及びＸ−Ｚ面方向波型面加工工程の後で、Ｚ軸方向の任意の長さに順次切断するＸ−Ｙ面切断加工工程と、を有する製造方法により形成されることを特徴とする。
【発明の効果】
【００２８】
本発明によれば、組立四角柱体に組立てられる両端面が四角形で略同一長さの複数本の小ブロックの隣接する各側面は、一部面又は全面が異なる任意のランダム形状曲面を有する波型面が相互に着脱自在に密着嵌合するように形成されていることから、安価な簡潔構造で任意の寸法、本数など自在に容易に変更可能な設計の自由度があり、ランダム形状曲面を有する波型面の組合せ形状が判別し難く小ブロックが組み込まれる位置が判明し難いことから長時間の試行錯誤を要するため極めて娯楽性の高い三次元パズルブロックを提供できる効果がある。
【００２９】
また、前記略同一長さＬを有する複数本の小ブロックは、さらに前記Ｚ軸方向長さＬがそれぞれ任意の異なる長さに複数分割して形成され、これら複数本の小ブロックから前記Ｚ軸方向長さＬの一つの組立四角柱体に組立てられることから、簡潔な構造で任意の寸法、本数など自在に容易に変更可能な設計の自由度も倍増し、ランダム形状曲面を有する波型面の組合せ形状が判別し難く小ブロックが組み込まれる位置が判明し難いことからさらに長時間の試行錯誤を要するため娯楽性が倍増される効果がある。
【００３０】
また、小ブロックの組立四角柱体は、その外周面が全周に亘り拘束される線状部材又は帯状部材からなる例えば簡易なゴム輪などのリング状体又は紐などの結束体、片面又は両面開放の四角ボックス状体、二分割型全閉四角ボックス体などの拘束部材により容易に組立状態が保持されることから、本発明の三次元パズルブロックは取扱いが容易で子供から大人まで広く楽しむことができる効果がある。
【００３１】
また、小ブロックは、天然又は合成の木材、金属、硬質高分子材料、骨材、鉱物又は岩石等から選択的に形成されることから、好みや価格に応じた設計の自由度が一層容易に確保される効果がある。
【００３２】
さらに、Ｚ軸方向に延びる四角柱体部材の外形を保持するように外面を拘束した状態で、細い鋸歯あるいはレーザー加工機を用い、前記四角柱体部材の一方端面から、Ｘ軸及びＹ軸方向に沿ってそれぞれ略等間隔に区分するように切込み、Ｙ−Ｚ面及びＸ−Ｚ面に沿ってそれぞれ異なる任意のランダム形状曲面を有する波型面を形成するように切断加工した後、Ｚ軸方向の任意の長さに順次切断する切断加工工程により容易且つ安価に効率よく本発明の三次元パズルブロックを製造することができる効果がある。
本発明の目的、特徴、局面、及び利点は、以下の詳細な説明と添付図面とによって、より明白となる。
【図面の簡単な説明】
【００３３】
【図１】（ａ）は本発明の実施の形態１による三次元パズルブロックの組立状態（組立四角柱体）の概念を示す斜視図、（ｂ）は本発明の別の実施形態による拘束部材（二分割型全閉四角ボックス体）の概念を示す斜視図である。
【図２】本発明の別の実施の形態による三次元パズルブロックの加工工程の要部を概念的に示す要部加工工程図で、（ａ）はＹ−Ｚ面方向波型面加工工程、（ｂ）は（ａ）に引続きＸ−Ｚ面方向波型面加工工程をそれぞれ示す。
【図３】（ａ）は、本発明の実施の形態２による三次元パズルブロックの組立状態（組立四角柱体）の概念を示す斜視図、（ｂ）は本発明の実施の形態３による三次元パズルブロックの組立状態（組立四角柱体）の概念を示す斜視図である。
【図４】従来（特許文献１）の立体ブロック玩具の組み立て手順例を説明するための分解斜視図である。
【図５】従来（特許文献２）の嵌め合わせ可能な直方体ブロックの組立状態の概念を示す斜視図である。
【図６】従来（特許文献３）の立体パズルの概念を示す斜視図で、（ａ）は組立斜視図、（ｂ）は（ａ）の分解斜視図である。
【図７】従来（特許文献４）のパズルの箱及びブロック群の組立状態の概念を示す斜視図である。
【図８】従来（特許文献５）の接合ブロックの概念を示す斜視図で、（ａ）は立方体ブロックの接合断面図、（ｂ）は凹部立方体ブロックと凸部立方体ブロックの接合例図、（ｃ）は（ｂ）のＡ−Ａ断面図である。
【図９】従来（特許文献６）の組立型ブロック玩具の概念を示す斜視図で、（ａ）は立方体ブロック、直方体ブロック、円柱ブロック、三角柱ブロックからなる各ブロック単体の斜視図、（ｂ）は（ａ）の各ブロック単体を組立てた状態を示す組立て状態の斜視図である。
【発明を実施するための形態】
【００３４】
以下、本発明の三次元パズルブロックを実施するための形態の具体例を、添付図面を参照して説明する。添付図１〜３中、小ブロック等の部材符号は、波型面あるいは切断面等の形状が部分的に異なっていても説明を簡略化するため同一の符号を付してある。
【００３５】
本発明に係る三次元パズルブロック１は、長さ方向に延びるＺ軸方向に略同一長さＬを有し、Ｚ軸に直交するＸ−Ｙ平面に略平行な両端面が四角形に形成された複数本の小ブロックから一つの組立四角柱体２に組立てられる三次元パズルブロック１であって、組立て状態における小ブロックの隣接する各側面は、一部面又は全面が異なる任意のランダム形状曲面を有する波型面Ｗｘｎ、Ｗｙｎが相互に着脱自在に密着嵌合するように形成されている。
【００３６】
ここで、図１（ａ）における組立四角柱体２を基準として、直交する３軸のＺ軸（小ブロックの長手方向）、Ｘ軸（Ｚ軸に直交する一方向）、Ｙ軸（Ｚ軸に直交する他方向でＸ軸に直交する方向）を定義する。
【００３７】
これら小ブロックは、天然又は合成の木材、金属、硬質高分子材料、骨材、鉱物又は岩石等から任意に選択的に形成することができる。
【００３８】
そして、小ブロックの組立四角柱体２は、その外周４側面が拘束される線状部材又は帯状部材からなるリング状体又は紐などの結束体（後述の実施の形態１〜３では簡易なゴム輪）３、片面又は両面開放の四角ボックス状体（図示しない）、二分割型全閉四角ボックス体３Ａ（図１（ｂ））などの拘束部材３、３Ａで組立四角柱体２の外面を拘束することにより容易に組立状態が保持される。
【００３９】
このような本発明の三次元パズルブロックは、組立四角柱体２に組立てられる両端面が四角形で略同一長さＬの複数本の小ブロックの隣接する各側面は、一部面又は全面が異なる任意のランダム形状曲面を有する波型面Ｗｘｎ、Ｗｙｎが相互に着脱自在に密着嵌合するように形成されていることから、安価な簡潔構造で任意の寸法、本数など自在に容易に変更可能な設計の自由度があり、ランダム形状曲面を有する波型面Ｗｘｎ、Ｗｙｎの組合せ形状が判別し難く小ブロックが組み込まれる位置が判明し難いことから長時間の試行錯誤を要するため極めて娯楽性の高いものとなる。
【００４０】
（実施の形態１）
本発明の実施の形態１による三次元パズルブロック１の小ブロックは、図１（ａ）に示すように、Ｚ軸方向の長さＬ≒７０ｍｍの両端面が略１０×１０ｍｍの正方形に形成されたｎ×ｎ＝ｎ２＝３６本（図１（ａ）はｎ＝６の例、ｎは２以上の整数）であり、組立四角柱体２の四隅に配置され、それぞれ外面側の二側面が平面に、内面側の二側面が異なる任意形状の波型面Ｗｘｎ、Ｗｙｎに形成された４本のコーナー小ブロックＣ１〜Ｃ４と、４本のコーナー小ブロックＣ１〜Ｃ４の間の組立四角柱体２の外周に配列され、それぞれ組立四角柱体２の外周面が平面で、内側の三側面が異なる任意形状の波型面Ｗｘｎ、Ｗｙｎに形成された（ｎ−２）×４＝１６本の外周側小ブロックＳ１〜Ｓ１６と、コーナー小ブロックＣ１〜Ｃ４及び外周側小ブロックＳ１〜Ｓ１６の内側に配置され、それぞれ四側面が異なる任意形状の波型面（図示しない）に形成された（ｎ２−４ｎ−８）＝１６本の内側小ブロックＭ１１〜Ｍ１６と、から一つの組立四角柱体２に組立てられる。
【００４１】
これらの小ブロックを単品毎又は隣接する複数本の小グループ毎に細い鋸歯又はレーザー加工機などを用いた切断加工、その他の切削加工機を用いた切削加工により隣接する側面が全て異なる任意形状の波型面Ｗｘｎ、Ｗｙｎに形成することができる。
【００４２】
また、一例として、本発明の別の実施の形態による三次元パズルブロック１の製造方法は、Ｚ軸方向に延びる四角柱体部材１Ａの外形を保持するように外面をＸ軸方向両面から軽く挟圧するＸ軸方向拘束手段Ｆｘ、Ｆｘ及びＹ軸方向両面から軽く挟圧するＹ軸方向拘束手段Ｆｙ、Ｆｙにより拘束した状態で、細い鋸歯あるいはレーザー加工機を用いて四角柱体部材１Ａの一方の端面から切断する方法による次の加工工程を有する。
【００４３】
この切断による加工工程にけるＸ軸方向拘束手段Ｆｘ、Ｆｘ及びＹ軸方向拘束手段Ｆｙ、Ｆｙとしては、例えば図２（ａ）、（ｂ）に概念的に示すように、四角柱体部材１ＡのＺ軸方向にそれぞれ直交するＸ、Ｙ軸方向に沿って任意の間隔に複数対配置され、四角柱体部材１Ａの切断後部分及び切断前部分の４つの各外面を転動しながら四角柱体部材１Ａを送り出すようにガイドするローラーガイドＦｘ、Ｆｙなどが好適に利用できる。図２（ａ）、（ｂ）における部材の符号は、波型面の形状が異なっていても説明を簡略化するため図１（ａ）と同じ符号を付してある。
【００４４】
先ず、四角柱体部材１Ａの一方端面１Ａａから、Ｘ軸方向に直交するＹ軸方向に沿って例えば略１０ｍｍの等間隔に区分するように切込み、Ｙ−Ｚ面に沿ってそれぞれ異なる任意のランダム形状曲面を有する波型面Ｗｘｎを形成するように切断加工する（Ｙ−Ｚ面方向波型面加工工程）。  
【００４５】
次いで、四角柱体部材１Ａの一方端面１Ａａから、Ｙ軸方向に直交するＸ軸方向に沿って例えば略１０ｍｍの等間隔に区分するように切込み、Ｘ−Ｚ面に沿ってそれぞれ異なる任意のランダム形状曲面を有する波型面Ｗｙｎを形成するように切断加工する（Ｘ−Ｚ面方向波型面加工工程）。
【００４６】
そして最終的に、四角柱体部材１ＡのＺ軸方向の任意の長さＬに区分されたＸ−Ｙ面に平行な切断面Ｋｎ毎に順次切断する（Ｘ−Ｙ面方向切断加工工程）ことにより、波型面Ｗｘｎ、Ｗｙｎの形状が一部同じになるが、図１（ａ）と同様な小ブロックＣ１〜Ｃ４、Ｓ１〜Ｓ１６、Ｍ１１〜Ｍ１６が一括的に効率よく加工される。
【００４７】
このため、三次元パズルブロック１の製造工程を最小限に抑えることができる。
【００４８】
そして、本発明の三次元パズルブロック１を容易且つ安価に製造することができる。
【００４９】
なお、上記別の実施の形態による三次元パズルブロック１の製造方法の例では、Ｘ軸及びＹ軸方向の略１０ｍｍの各区分の一括加工によるＹ−Ｚ面及びＸ−Ｚ面方向の波型面Ｗｘｎ、Ｗｙｎは略１０ｍｍの一区分列毎にそれぞれ同一形状に形成される。
【００５０】
しかし、上記製造方法により完成された三次元パズルブロック１は、波型面Ｗｘｎ、Ｗｙｎがそれぞれ同一形状のものが前記略１０ｍｍの一区分列毎に存在するとは言え、小ブロックＣ１〜Ｃ４、Ｓ１〜Ｓ１６、Ｍ１１〜Ｍ１６をばらばらに分解した後、再び波型面Ｗｘｎ、Ｗｙｎを合せて組立四角柱体２に組立てるまでには、波型面Ｗｘｎ、Ｗｙｎの組合せ形状がなかなか判別し難く小ブロックＣ１〜Ｃ４、Ｓ１〜Ｓ１６、Ｍ１１〜Ｍ１６が組み込まれる位置が判明し難いことから長時間の試行錯誤を要するため依然として極めて娯楽性の高いことが保持される。
【００５１】
（実施の形態２）
本発明の実施の形態２による三次元パズルブロック１Ｂは、図３（ａ）に示すように、前記実施の形態１と同様な形状の例えば長さＬ≒７０ｍｍの両端面が略１０×１０ｍｍの正方形に形成されたｎ×ｎ＝ｎ２＝３６本（図２はｎ＝６の例、ｎは２以上の整数）の小ブロックが、さらにＺ軸方向の長さＬ≒７０ｍｍをそれぞれ任意の異なる長さに任意方向の傾斜平面（Ｘ−Ｙ平面に平行面を含む）Ｗｚｎを形成するようにカットされ複数分割例えば２分割して計７２本が形成され、これら７２本の小ブロックからＺ軸方向の長さＬ≒７０ｍｍの一つの組立四角柱体２Ｂに組立てられる。図３（ａ）における小ブロック等の部材の符号は、Ｚ軸方向の分割された長さなど一部形状が異なっていても説明を簡略化するため図１（ａ）と同じ符号を付してある。
【００５２】
この場合、小ブロックの組立四角柱体２Ｂは、その外周４側面が拘束される線状部材又は帯状部材からなる２本のリング状体又は紐などの結束体（実施の形態２では簡易なゴム輪）３、片面又は両面開放の四角ボックス状体（図示しない）、二分割型全閉四角ボックス体３Ａ（図１（ｂ））などの拘束部材３、３Ａで組立四角柱体２の外面を拘束することにより容易に組立状態が保持される。
【００５３】
この実施の形態２の三次元パズルブロック１Ｂは、組立四角柱体２Ｂに組立てられる小ブロックの本数が前記実施の形態１の２倍に分割形成されることから、安価な簡潔構造で任意の寸法、本数など自在に容易に変更可能な設計の自由度も倍増し、ランダム形状曲面を有する波型面Ｗｘｎ、Ｗｙｎの組合せ形状が判別し難く小ブロックが組み込まれる位置が判明し難いことからさらに長時間の試行錯誤を要するため娯楽性の高さが倍増される。
【００５４】
（実施の形態３）
本発明の実施の形態３による三次元パズルブロック１Ｃは、小ブロックが、図３（ｂ）に示すように、Ｚ軸方向の長さＬ≒７０ｍｍをそれぞれ任意の異なる長さに任意方向の異なる任意形状の波型面Ｗｚｎを形成するようにカットされ複数分割例えば２分割して計７２本が形成され、Ｚ軸方向の長さＬ≒７０ｍｍの一つの組立四角柱体２Ｃに組立てられる相違点を除き、その他の構成は前記実施の形態２の三次元パズルブロック１Ｂと同様である。図３（ｂ）における小ブロック等の部材の符号は、Ｚ軸方向の分割形状など一部形状が異なっていても説明を簡略化するため図３（ａ）と同じ符号を付してある。
【００５５】
本発明の特定の実施の形態についての上記説明は、例示を目的として提示したものである。それらは、網羅的であったり、記載した形態そのままに本発明を制限したりすることを意図したものではない。数多くの変形や変更が、上記の記載内容に照らして可能であることは当業者に自明である。
【産業上の利用可能性】
【００５６】
本発明の三次元パズルブロックは、組立四角柱体２、２Ｂ、２Ｃに組立てられる両端面が四角形で一体的又は分割体的に略同一長さＬの複数本の小ブロックの隣接する各側面は、一部面又は全面が異なる任意のランダム形状曲面を有する波型面Ｗｘｎ、Ｗｙｎが相互に着脱自在に密着嵌合するように形成されていることから、安価な簡潔構造で任意の寸法、本数など自在に容易に変更可能な設計の自由度があり、ランダム形状曲面を有する波型面Ｗｘｎ、Ｗｙｎの組合せ形状が判別し難く小ブロックが組み込まれる位置が判明し難いことから長時間の試行錯誤を要するため極めて娯楽性の高い三次元パズルブロック１、１Ｂ、１Ｃを提供できる効果があり、各種の製造業やサービス業など広範な産業界、あるいは各種事務所や家庭における娯楽用品として好適に適用できる。
【符号の説明】
【００５７】
１、１Ｂ、１Ｃ  三次元パズルブロック
１Ａ    四角柱体部材
２、２Ｂ、２Ｃ  組立四角柱体
３      拘束部材（リング状体）
３Ａ    拘束部材（二分割型全閉四角ボックス体）
３Ａａ、３Ａｂ  分割ボックス体
Ｃ１〜Ｃ４  コーナー小ブロック
Ｆｘ、Ｆｙ  拘束手段（ローラーガイド）
Ｌ      Ｚ軸方向長さ
Ｋｎ    Ｘ−Ｙ面に平行な切断面
Ｓ１〜Ｓ１６  外周側小ブロック
Ｍ１１〜Ｍ１６  内側小ブロック
Ｗｘｎ、Ｗｙｎ、Ｗｚｎ  波型面
【図１】
2015000091.tif 000003
【図２】
2015000091.tif 000004
【図３】
2015000091.tif 000005
【図４】
2015000091.tif 000006
【図５】
2015000091.tif 000007
【図６】
2015000091.tif 000008
【図７】
2015000091.tif 000009
【図８】
2015000091.tif 000010
【図９】
2015000091.tif 000011